(57)【要約】【課題】地下ピット内に設置した水槽からの放射性物質含有排水等の漏洩を監視する従来の方法では、底部に水が溜まった場合に、まずその水が水槽から漏洩したものかを判定する必要があり、操作が煩雑であると共に、迅速な対処が困難である。【解決手段】そこで、本発明では，水槽２を設置した地下ピット１内の底部に漏洩水センサー３を設置すると共に、地下ピットと水槽との間の空間８の上部を蓋７により密閉して、圧縮空気源９により加圧可能とし、空間の圧力を、地下ピット内の底部に対しての地下水の水圧以上に維持した状態で漏洩水を監視することとした漏洩監視方法と、これを適用するシステムを提案するものである。【選択図】図１
2008096132.tif 000002
【特許請求の範囲】
【請求項１】
水槽を設置した地下ピット内の底部に漏洩水センサーを設置すると共に、地下ピットと水槽との間の空間の上部を蓋により密閉して、圧縮空気源により加圧可能とし、上記空間の圧力を、地下ピット内の底部に対しての地下水の水圧以上に維持した状態で漏洩水センサーにより漏洩水を監視することを特徴とする地下ピット内に設置した水槽からの漏洩監視方法。
【請求項２】
地下ピットに近接して地下水位計を設置し、地下水位計により計測した地面から地下水面までの高さと、水槽内の水面高さと、水面から地面までの高さから地下水の水圧を導出して、上記空間の圧力を、地下ピット内の底部に対しての地下水の水圧以上に維持することを特徴とする請求項１に記載の地下ピット内に設置した水槽からの漏洩監視方法。
【請求項３】
水槽を設置した地下ピット内の底部に漏洩水センサーを設置し、この漏洩水センサーからの信号により漏洩検知信号を発する漏洩検知機を設けると共に、地下ピットと水槽との間の空間の上部を蓋により密閉して、この空間内に加圧空気を供給する空気圧縮機と、空間内の圧力センサーを設け、更に地下ピットに近接して地下水位計を設け、空気圧縮機は、上記圧力センサー及び地下水位計からの信号と、水面から地面までの高さに対応する設定値に基づいて導出した圧力以上の圧力を目標として空間内に空気を供給する構成としたことを特徴とする地下ピット内に設置した水槽からの漏洩監視システム。
【発明の詳細な説明】
【技術分野】
【０００１】
本発明は，地下ピット内に設置した水槽からの漏洩監視方法及び漏洩監視システムに関するものである。
【背景技術】
【０００２】
例えば放射性物質含有水の排水設備では、排水槽としてステンレス製のパネルタンクが使用される場合が多く、腐食等が原因となる漏洩には十分配慮されている。そしてこのような水槽はコンクリート製の地下ピット内に設置されることが多い。
【０００３】
地下ピット内の底部には漏洩水センサーを設置して水槽からの漏洩水を監視する構成としているが、地下ピット内には地下水が滲入する場合があるため、地下ピット内の底部に水が溜まった場合には、まず、それを放射能検知器で検査し、放射線を検出した場合には水槽からの漏洩と判定して所定の処理を行い、また放射線を検出しない場合には地下水の滲入と判定して、他の所定の処理を行う。
【０００４】
尚、地下に設置したタンクに貯蔵された液体の漏洩の有無を検査するための従来技術としては、タンクを地下ピット内に設置したものではないが、例えば特許文献１に示すようなものがある。
【特許文献１】特開２００５−２９２０９１号公報
【発明の開示】
【発明が解決しようとする課題】
【０００５】
上述したとおり、地下ピット内に設置した水槽からの放射性物質含有排水等の漏洩を監視する従来の方法では、地下ピット内の底部に水が溜まった場合に、まずその水が放射能を有しているか否かを放射能検知器で検査して判定する必要があるため、操作が煩雑であると共に、水槽からの放射性物質含有排水であった場合の迅速な対処が困難である。
そこで本発明では、このような課題を解決した地下ピット内に設置した水槽からの漏洩監視方法を提案するものである。
【課題を解決するための手段】
【０００６】
上述した課題を解決するために本発明では，水槽を設置した地下ピット内の底部に漏洩水センサーを設置すると共に、地下ピットと水槽との間の空間の上部を蓋により密閉して、圧縮空気源により加圧可能とし、上記空間の圧力を、地下ピット内の底部に対しての地下水の水圧以上に維持した状態で漏洩水センサーにより漏洩水を監視することとした地下ピット内に設置した水槽からの漏洩監視方法を提案する。
【０００７】
また本発明では、上記漏洩監視方法において、地下ピットに近接して地下水位計を設置し、地下水位計により計測した地面から地下水面までの高さと、水槽内の水面高さと、水面から地面までの高さから地下水の水圧を導出して、上記空間の圧力を、地下ピット内の底部に対しての地下水の水圧以上に維持することとした地下ピット内に設置した水槽からの漏洩監視方法を提案する。
【０００８】
更に本発明では、水槽を設置した地下ピット内の底部に漏洩水センサーを設置し、この漏洩水センサーからの信号により漏洩検知信号を発する漏洩検知機を設けると共に、地下ピットと水槽との間の空間の上部を蓋により密閉して、この空間内に加圧空気を供給する空気圧縮機と、空間内の圧力センサーを設け、更に地下ピットに近接して地下水位計を設け、空気圧縮機は、上記圧力センサー及び地下水位計からの信号と、水面から地面までの高さに対応する設定値に基づいて導出した圧力以上の圧力を目標として空間内に空気を供給する構成とした地下ピット内に設置した水槽からの漏洩監視システムを提案するものである。
【発明の効果】
【０００９】
本発明の漏洩監視方法及びシステムでは、地下ピットと水槽との間の、蓋によって密閉した空間の圧力を、圧縮空気源により地下ピット内の底部に対しての地下水の水圧以上に維持しているため、地下ピットに水が滲入可能な個所が存在したとしても、地下水が滲入することはない。
【００１０】
従って漏洩水センサーにより地下ピットの底部に水を検出した場合には、その水は、水槽からの漏洩水であると即座に判定することができ、所定の対処を迅速に行うことができる。
【００１１】
地下ピットと水槽との間の空間を維持する圧力は、地下ピットに近接して地下水位計を設置し、地下水位計により計測した地面から地下水面までの高さと、水槽内の水面高さと、水面から地面までの高さから地下水の水圧を導出することにより容易に行うことができる。この際、水面から地面までの高さは、例えば水槽の底部から地面までの高さは既知であるので、これに関する設定値と、水槽内の水面高さから容易に導出することができる。
【発明を実施するための最良の形態】
【００１２】
次に，本発明の実施の形態を図１を参照して説明する。
図１は本発明に係る地下ピット内に設置した水槽からの漏洩監視システムを概念的に示すものである。
符号１はコンクリート製の地下ピットであり、この地下ピット１内にステンレス製の水槽２を設置している。また地下ピット１内の底部には漏洩水センサー３を設置し、この漏洩水センサー３からの信号により漏洩水を検出する漏洩検知機４を地上に設置している。
【００１３】
符号５は水槽１内の水面を示すもので、その水面高さは図中Ｈ1で示している。水槽２には図示を省略しているが、水位、そして水面高さＨ1を測定するための手段が設置されている。また、符号６は地面を示すものであり、この地面６から水槽２の底部までの高さは既知であるから、地面６から水面５までの高さＨ3は、水面高さＨ1と予め設定された、例えば地面６から水槽２の底部までの高さから容易に導出することができる。
【００１４】
符号７は地下ピット１と水槽２との間の空間８を密閉する蓋であり、この蓋７により密閉された空間８内に加圧空気を供給する空気圧縮機９と、空間８内の圧力センサー１０を設けている。
【００１５】
また符号１１は地下ピット１に近接して設置した地下水位計であり、符号１２は地下水位を示している。
【００１６】
以上の構成において、空気圧縮機９は、上記圧力センサー１０及び地下水位計１１からの信号と、水面５から地面６までの高さＨ3に対応する設定値に基づいて導出した圧力ΔＨ以上の圧力を目標として空間８内に空気を供給する構成としている。
【００１７】
即ち、地下ピット１内の底部に対しての地下水の圧力ΔＨは、水槽２の液面高さＨ1に対応する圧力から、水面５から地下水位１２までの高さＨ2に相当する圧力を減じて得られる。
即ち、  ΔＨ＝Ｈ1−Ｈ2  である。
そして水面５から地下水位１２までの高さＨ2は、地下水位計１１によって得られる地面６から地下水位１２までの高さＨ0から、水面５から地面６までの高さＨ3を減じて得られるため、結局、地下ピット１内の底部に対しての地下水の圧力ΔＨは次式により求めることができる。
ΔＨ＝Ｈ1−Ｈ2＝Ｈ1−(Ｈ0−Ｈ3)
【００１８】
こうして空気圧縮機９は、上記圧力センサー１０及び地下水位計１１からの信号と、水面５から地面６までの高さＨ3に対応する設定値に基づいて導出した圧力ΔＨを目標として、又はこの圧力ΔＨを適宜越えた圧力を目標として、空間８内に加圧空気を供給して、空間８内を圧力ΔＨ以上に維持する。
【００１９】
こうして本発明の漏洩監視方法及びシステムでは、地下ピット１と水槽２との間の、蓋７によって密閉した空間８の圧力を、圧縮空気源９により地下ピット１内の底部に対しての地下水の水圧以上に維持しているため、地下ピット１に水が滲入可能な個所が存在したとしても、地下水が滲入することはない。
【００２０】
従って漏洩水センサー３からの信号により漏洩検知機４が、地下ピット１の底部に水１３を検出した場合には、その水１３は、水槽２からの漏洩水であると即座に判定することができ、所定の対処を迅速に行うことができる。
【産業上の利用可能性】
【００２１】
本発明は以上の通りであるので、地下ピット内の底部に水が溜まった場合に、まずその水が水槽から漏洩したものか否かを判定するステップは不要で、即座に水槽からの漏洩であると確実に判定できる。
【００２２】
従って操作が煩雑でなく、例えば水槽からの放射性物質含有排水の漏洩に対して迅速な対処が困難である。
【００２３】
本発明は以上のことから、ガンマ線照射施設の線源プールへの利用の他、漏洩すると危険な物質を含む排水の施設等に応用することができる。
【図面の簡単な説明】
【００２４】
【図１】本発明に係る地下ピット内に設置した水槽からの漏洩監視システムを概念的に示す説明図である。
【符号の説明】
【００２５】
１          地下ピット
２          水槽
３          漏洩水センサー
４          漏洩検知機
５          水面
６          地面
７          蓋
８          空間
９          空気圧縮機
１０        圧力センサー
１１        地下水位計
１２        地下水位
１３        水（漏洩水）
【図１】
2008096132.tif 000003